(57)【要約】【課題】単純な構造でありながら、複雑な構造をも創作することができる組み合わせ構造体を提供する。【解決手段】組み合わせ構造体は、組み合わせ用ピース２００と、複数の組み合わせ用ピースを相互に連結するジョイント部材と、からなる。組み合わせ用ピース２００の外形をなす各辺に沿って凹部２１０が形成されており、ジョイント部材は凹部２１０に着脱自在に連結可能である。凹部２１０にジョイント部材を連結し、さらに、そのジョイント部材に他の組み合わせ用ピース２００を連結することにより、ジョイント部材を介して、２個の組み合わせ用ピース２００を連結する。【選択図】図１
0003138281.tif 000002
【実用新案登録請求の範囲】
【請求項１】
組み合わせ用ピースと、複数の前記組み合わせ用ピースを相互に連結するジョイント部材と、からなる組み合わせ構造体であって、
前記組み合わせ用ピースは、その外周に、少なくとも一つの直線状の辺を有しており、
前記組み合わせ用ピースには、前記組み合わせ用ピースの表面及び裏面の少なくとも一方において、前記直線状の辺のうちの少なくとも一つに沿って第一ジョイント手段が形成されており、
前記ジョイント部材は、一点を中心として外側に延びるＮ個（Ｎは２以上の整数）のジョイント用パーツを備えており、
前記ジョイント用パーツには、前記第一ジョイント手段と着脱自在に連結可能な第二ジョイント手段が形成されており、
前記第一ジョイント手段は、前記組み合わせ用ピースの厚さ方向に形成された凹部、前記組み合わせ用ピースの厚さ方向に貫通した貫通穴及び前記組み合わせ用ピースの上方に延びる凸部の少なくとも一つからなり、
前記ジョイント用パーツには前記組み合わせ用ピースが嵌合可能な第二凹部が形成されており、前記第二ジョイント手段は、前記第二凹部の内部に形成され、前記凹部または前記貫通穴に嵌合可能な凸状部、及び、前記凸部が嵌合可能な第三凹部の少なくとも何れか一方からなる組み合わせ構造体。
【請求項２】
前記組み合わせ用ピースはＭ角形（Ｍは３以上の整数）の形状をなしていることを特徴とする請求項１に記載の組み合わせ構造体。
【請求項３】
前記組み合わせ用ピースには内部に内孔が形成されており、前記内孔の外周は少なくとも一つの直線状の第二の辺を有しており、前記組み合わせ用ピースには、前記組み合わせ用ピースの表面及び裏面の少なくとも一方において、前記第二の辺のうちの少なくとも一つに沿って前記第一ジョイント手段が形成されていることを特徴とする請求項１または２に記載の組み合わせ構造体。
【請求項４】
前記内孔はＬ角形（Ｌは３以上の整数）の形状をなしていることを特徴とする請求項３に記載の組み合わせ構造体。
【考案の詳細な説明】
【技術分野】
【０００１】
本考案は、組み合わせ用ピースを相互に組み合わせて作られる組み合わせ構造体に関する。
【背景技術】
【０００２】
子供や老人用の造形玩具または知育玩具として、実用新案登録第３０６８５７３号公報に記載された「可動組み合わせ片」がある。
【０００３】
この「可動組み合わせ片」は、正三角形または正方形の形状をなす組み合わせ片と、複数の組み合わせ片を相互に回動自在に連結する連桿と、からなる。
【０００４】
各組み合わせ片には、任意の一辺において凹部が形成されており、この凹部の両端には嵌合部が形成されている。連桿の両端には、嵌合部と連接可能な形状の連接部が設けられており、連接部と嵌合部とを連結することにより、連接部を介して二つの組み合わせ片が相互に回動可能に連結される。
【考案の開示】
【考案が解決しようとする課題】
【０００５】
上記の「可動組み合わせ片」は二つの組み合わせ片が連桿を介して相互に回動可能に連結されるため、各組み合わせ片には嵌合部を、連桿には連接部をそれぞれ形成しなければならず、組み合わせ片及び連桿の構造が複雑にならざるを得なかった。
【０００６】
また、各組み合わせ片の一つの辺には連桿を介して一つの組み合わせ片しか連結させることができないため、必ずしも複雑な構造（例えば、３次元的な構造）を創作することができず、このため、ユーザーである子供や老人の創造性を向上させるのには不適であった。
【０００７】
本考案は、このような問題点に鑑みてなされたものであり、単純な構造でありながら、複雑な構造をも創作することができる組み合わせ構造体を提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【０００９】
上記の目的を達成するため、本考案は、組み合わせ用ピース（２００）と、複数の前記組み合わせ用ピース（２００）を相互に連結するジョイント部材（３００）と、からなる組み合わせ構造体（１００）であって、前記組み合わせ用ピース（２００）は、その外周に、少なくとも一つの直線状の辺を有しており、前記組み合わせ用ピース（２００）には、前記組み合わせ用ピース（２００）の表面（２０１）及び裏面（２０２）の少なくとも一方において、前記直線状の辺のうちの少なくとも一つに沿って第一ジョイント手段（２１０）が形成されており、前記ジョイント部材（３００）は、一点（３０１）を中心として外側に延びるＮ個（Ｎは２以上の整数）のジョイント用パーツ（３１０）を備えており、前記ジョイント用パーツ（３１０）には、前記第一ジョイント手段（２１０）と着脱自在に連結可能な第二ジョイント手段（３２０）が形成されており、前記第一ジョイント手段（２１０）は、前記組み合わせ用ピース（２００）の厚さ方向に形成された凹部（２１０）、前記組み合わせ用ピース（２００）の厚さ方向に貫通した貫通穴及び前記組み合わせ用ピース（２００）の上方に延びる凸部の少なくとも一つからなり、前記ジョイント用パーツ（３１０）には前記組み合わせ用ピース（２００）が嵌合可能な第二凹部（３１１）が形成されており、前記第二ジョイント手段（３２０）は、前記第二凹部（３１１）の内部に形成され、前記凹部（２１０）または前記貫通穴に嵌合可能な凸状部（３２０）、及び、前記凸部が嵌合可能な第三凹部の少なくとも何れか一方からなる組み合わせ構造体（１００）を提供する。
【００１０】
前記組み合わせ用ピース（２００）はＭ角形（Ｍは３以上の整数）の形状をなしていることが好ましい。
【００１１】
前記組み合わせ用ピース（２００）には内部に内孔（２６０）が形成されており、前記内孔（２６０）の外周は少なくとも一つの直線状の第二の辺を有しており、前記組み合わせ用ピース（２００）には、前記組み合わせ用ピース（２００）の表面（２０１）及び裏面（２０２）の少なくとも一方において、前記第二の辺のうちの少なくとも一つに沿って前記第一ジョイント手段（２１０）が形成されていることが好ましい。
【００１２】
前記内孔（２６０）はＬ角形（Ｌは３以上の整数）の形状をなしていることが好ましい。
【考案の効果】
【００１３】
本考案に係る組み合わせ構造体によれば、組み合わせ用ピースの外周の辺に沿ってそれぞれ形成された第一ジョイント手段にジョイント部材を連結し、そのジョイント部材を介して、他の組み合わせ用ピースを連結させることができる。この連結作業を繰り返すことにより、所望の平面構造体を創作することができる。このように、本考案に係る組み合わせ構造体によれば、組み合わせ構造体を構成する組み合わせ用ピース及びジョイント部材はそれぞれ単純な構造でありながら、ジョイント部材を介して組み合わせ用ピースを順次連結させることによって、複雑な構造をも創作することが可能である。
【００１４】
また、組み合わせ用ピースに内孔を形成する組み合わせ構造体においては、この内孔の外形を形成する辺に沿って第一ジョイント手段が形成されているため、この第一ジョイント手段にジョイント部材を連結させ、このジョイント部材を介して、他の組み合わせ用ピースをさらに連結させることができる。このように、組み合わせ用ピースに内孔が形成されていない組み合わせ構造体よりも、より複雑な組み合わせ構造体を創作することが可能である。特に、３個以上のジョイント用パーツを有するジョイント部材を内孔側の第一ジョイント手段に連結させることにより、かなり複雑な３次元な構造体を創作することが可能になる。
【考案を実施するための最良の形態】
【００１５】
（第一の実施形態）
本考案の第一の実施形態に係る組み合わせ構造体１００は、組み合わせ用ピース２００と、複数の組み合わせ用ピース２００を相互に連結するジョイント部材３００と、から構成されている。
【００１６】
図１（Ａ）は組み合わせ用ピース２００の平面図であり、図１（Ｂ）は図１（Ａ）のＩＢ−ＩＢ線における断面図である。
【００１７】
組み合わせ用ピース２００は六角形の形状をなしており、例えば、樹脂でつくられている。
【００１８】
図１（Ａ）に示すように、組み合わせ用ピース２００には、その表面２０１において、外形をなす６個の辺の各々に沿って第一ジョイント手段としての凹部２１０が形成されている。凹部２１０は、組み合わせ用ピース２００の厚さ方向に形成された溝の形状をなしており、組み合わせ用ピース２００の６個の辺に沿って直線的に形成されている。
【００１９】
図２はジョイント部材３００の斜視図である。
【００２０】
ジョイント部材３００は、例えば、組み合わせ用ピース２００と同様に樹脂でつくられている。図２に示すように、ジョイント部材３００は、一点３０１を中心として外側に延びる２個のジョイント用パーツ３１０を備えている。これら２個のジョイント用パーツ３１０は相互に１８０度の角度をなしている。すなわち、２個のジョイント用パーツ３１０は一点３０１を通過する直線状に形成されている。
【００２１】
各ジョイント用パーツ３１０の先端側には組み合わせ用ピース２００が嵌合可能な第二凹部３１１が形成されている。
【００２２】
さらに、ジョイント用パーツ３１０には、第一ジョイント手段としての凹部２１０に着脱自在に連結可能な第二ジョイント手段が形成されている。第二ジョイント手段は、第二凹部３１１の内部に形成され、凹部２１０に嵌合可能な凸状部３２０として形成されている。
【００２３】
図３は本考案の第一の実施形態に係る組み合わせ構造体１００の断面図である。
【００２４】
図３に示すように、組み合わせ用ピース２００をジョイント用パーツ３１０の第二凹部３１１に嵌め込み、さらに、ジョイント用パーツ３１０の凸状部３２０を組み合わせ用ピース２００の凹部２１０に嵌め込むことにより、組み合わせ用ピース２００とジョイント部材３００とを連結させることができる。
【００２５】
さらに、同様にして、残りのジョイント用パーツ３１０に他の組み合わせ用ピース２００を連結させることにより、図３に示すように、ジョイント部材３００を介して２個の組み合わせ用ピース２００を連結させることができる。
【００２６】
以上のようにして、組み合わせ用ピース２００の６個の辺に沿ってそれぞれ形成された第一ジョイント手段としての凹部２１０にジョイント部材３００を連結し、そのジョイント部材３００を介して、他の組み合わせ用ピース２００を連結させることができる。この連結作業を繰り返すことにより、所望の平面構造体を創作することができる。
【００２７】
以上のように、本実施形態に係る組み合わせ構造体１００によれば、組み合わせ構造体１００を構成する組み合わせ用ピース２００及びジョイント部材３００はそれぞれ単純な構造でありながら、ジョイント部材３００を介して組み合わせ用ピース２００を順次連結させることによって、複雑な構造をも創作することが可能である。
【００２８】
本実施形態に係る組み合わせ構造体１００は上記の構造に限定されるものではなく、種々の改変が可能である。
【００２９】
本実施形態に係る組み合わせ構造体１００においては、組み合わせ用ピース２００は六角形の形状をなすものとして形成されているが、組み合わせ用ピース２００の形状は六角形には限定されない。六角形以外の形状、例えば、三角形、四角形あるいは五角形とすることも可能である。一般に、組み合わせ用ピース２００はＭ角形（Ｍは３以上の整数）の形状の外形を有するものとすることができる。
【００３０】
さらに、組み合わせ用ピース２００の形状はＭ角形（Ｍは３以上の整数）に限定されるものでもない。組み合わせ用ピース２００は、その外周に、少なくとも一つの直線状の辺を有していれば、任意の形状を有することが可能である（この場合、その辺にそって凹部２１０が形成される）。例えば、組み合わせ用ピース２００は、その外周に、少なくとも一つの直線状の辺を有していれば、他の箇所において、曲線状の外周形状を有することも可能である。
【００３１】
また、本実施形態に係る組み合わせ構造体１００においては、組み合わせ用ピース２００の表面２０１においてのみ、第一ジョイント手段としての凹部２１０が形成されているが、組み合わせ用ピース２００の表面２０１及び裏面２０２（図１（Ｂ）参照）の双方において凹部２１０を形成することも可能である。
【００３２】
この場合には、２個の凹部２１０に対応して、ジョイント部材３００に形成される凸部３２０の数を２個にすることも可能である。
【００３３】
また、本実施形態に係る組み合わせ構造体１００においては、組み合わせ用ピース２００の外形をなす６個の辺の全てに沿って第一ジョイント手段としての凹部２１０が形成されているが、組み合わせ用ピース２００の外形をなす全ての辺に沿って第一ジョイント手段としての凹部２１０を形成することは必ずしも必要ではない。
【００３４】
組み合わせ用ピース２００の外形をなす辺のうちの少なくとも一つに沿って第一ジョイント手段としての凹部２１０を形成すればよい。例えば、本実施形態に係る組み合わせ構造体１００においては、組み合わせ用ピース２００の外形をなす６個の辺のうち、任意の１個の辺に沿って凹部２１０を形成してもよく、あるいは、一個おきの辺に沿って凹部２１０を形成することも可能である。
【００３５】
本実施形態に係る組み合わせ構造体１００においては、ジョイント部材３００は一点３０１を中心として外側に延びる２個のジョイント用パーツ３１０を備えるものとして構成されているが、一点３０１を中心として外側に延びるジョイント用パーツ３１０の数は２個には限定されない。ジョイント部材３００は一点３０１を中心として外側に延びるＮ個（Ｎは２以上の整数）のジョイント用パーツ３１０を備えるものとして構成することが可能である。
【００３６】
例えば、図４は、３個のジョイント用パーツ３１０を備えるジョイント部材３００の一例を示す斜視図である。
【００３７】
本実施形態に係る組み合わせ構造体１００においては、組み合わせ用ピース２００に形成される第一ジョイント手段は組み合わせ用ピース２００の厚さ方向に形成された凹部２１０として形成されているが、凹部２１０に代えて、組み合わせ用ピース２００の厚さ方向に貫通した貫通穴を第一ジョイント手段として形成することも可能である。
【００３８】
あるいは、第一ジョイント手段として、組み合わせ用ピース２００の上方に延びる凸部を形成することも可能である。第一ジョイント手段として凸部を形成する場合には、ジョイント部材３００に形成される第二ジョイント手段は、その凸部が嵌合可能な凹部として形成される。
【００３９】
（第二の実施形態）
図５（Ａ）は本考案の第二の実施形態に係る組み合わせ構造体における組み合わせ用ピース２５０の平面図であり、図５（Ｂ）は図５（Ａ）のＶＢ−ＶＢ線における断面図である。
【００４０】
第一の実施形態における組み合わせ用ピース２００と比較して、本実施形態における組み合わせ用ピース２５０には、図５（Ａ）及び図５（Ｂ）に示すように、内部に内孔２６０が形成されている。
【００４１】
内孔２６０が形成されている点を除いて、本実施形態に係る組み合わせ構造体は第一の実施形態に係る組み合わせ構造体１００と同一の構造を有している。このため、第一の実施形態に係る組み合わせ構造体１００と同一の構成要素には同一の参照符号を付す。
【００４２】
内孔２６０は、組み合わせ用ピース２００と同心に形成されており、かつ、組み合わせ用ピース２００と相似形状の六角形をなしている。
【００４３】
図５（Ａ）及び図５（Ｂ）に示すように、組み合わせ用ピース２００には、その表面２０１において、内孔２６０の外形をなす６個の辺の各々に沿って第一ジョイント手段としての凹部２１０と同様の凹部２７０が形成されている。凹部２７０は、凹部２１０と同様に、組み合わせ用ピース２００の厚さ方向に形成された溝の形状をなしており、内孔２６０の６個の辺に沿って直線的に形成されている。
【００４４】
本実施形態に係る組み合わせ構造体によれば、各組み合わせ用ピース２００には内孔２６０が形成され、この内孔２６０の外形を形成する各辺に沿って第一ジョイント手段としての凹部２７０が形成されているため、凹部２７０にジョイント部材３００を連結させ、このジョイント部材３００を介して、他の組み合わせ用ピース２００をさらに連結させることができる。
【００４５】
このため、第一の実施形態に係る組み合わせ構造体１００よりも、より複雑な組み合わせ構造体を創作することが可能である。特に、３個以上のジョイント用パーツ３１０を有するジョイント部材３００を凹部２７０に連結させることにより、かなり複雑な３次元な構造体を創作することが可能になる。
【００４６】
本実施形態に係る組み合わせ構造体は上記の構造に限定されるものではなく、種々の改変が可能である。
【００４７】
本実施形態に係る組み合わせ構造体においては、組み合わせ用ピース２００に形成される内孔２６０は六角形の形状をなすものとして形成されているが、内孔２６０の形状は六角形には限定されない。六角形以外の形状、例えば、三角形、四角形あるいは五角形とすることも可能である。一般に、内孔２６０はＬ角形（Ｌは３以上の整数）の形状の外形を有するものとすることができる。
【００４８】
さらに、内孔２６０の形状はＬ角形（Ｌは３以上の整数）に限定されるものでもない。内孔２６０は、その外周に、少なくとも一つの直線状の辺を有していれば、任意の形状を有することが可能である（この場合、その辺にそって凹部２７０が形成される）。例えば、内孔２６０は、その外周に、少なくとも一つの直線状の辺を有していれば、他の箇所において、曲線状の外周形状を有することも可能である。
【００４９】
また、本実施形態に係る組み合わせ構造体においては、組み合わせ用ピース２００の表面２０１においてのみ、第一ジョイント手段としての凹部２７０が形成されているが、組み合わせ用ピース２００の表面２０１及び裏面２０２（図５（Ｂ）参照）の双方において凹部２７０を形成することも可能である。
【００５０】
この場合には、２個の凹部２７０に対応して、ジョイント部材３００に形成される凸部３２０の数を２個にすることも可能である。
【００５１】
また、本実施形態に係る組み合わせ構造体においては、内孔２６０の外形をなす６個の辺の全てに沿って第一ジョイント手段としての凹部２７０が形成されているが、内孔２６０の外形をなす全ての辺に沿って第一ジョイント手段としての凹部２７０を形成することは必ずしも必要ではない。
【００５２】
内孔２６０の外形をなす辺のうちの少なくとも一つに沿って第一ジョイント手段としての凹部２７０を形成すればよい。例えば、本実施形態に係る組み合わせ構造体においては、内孔２６０の外形をなす６個の辺のうち、任意の１個の辺に沿って凹部２７０を形成してもよく、あるいは、一個おきの辺に沿って凹部２７０を形成することも可能である。
【図面の簡単な説明】
【００５３】
【図１】図１（Ａ）は本考案の第一の実施形態に係る組み合わせ構造体における組み合わせ用ピースの平面図であり、図１（Ｂ）は図１（Ａ）のＩＢ−ＩＢ線における断面図である。
【図２】本考案の第一の実施形態に係る組み合わせ構造体におけるジョイント部材の斜視図である。
【図３】本考案の第一の実施形態に係る組み合わせ構造体の断面図である。
【図４】ジョイント部材の他の例を示す斜視図である。
【図５】図５（Ａ）は本考案の第二の実施形態に係る組み合わせ構造体における組み合わせ用ピースの平面図であり、図５（Ｂ）は図５（Ａ）のＶＢ−ＶＢ線における断面図である。
【符号の説明】
【００５４】
１００  本考案の第一の実施形態に係る組み合わせ構造体
２００  第一の実施形態における組み合わせ用ピース
２０１  組み合わせ用ピースの表面
２０２  組み合わせ用ピースの裏面
２１０  凹部
３００  ジョイント部材
３１０  ジョイント用パーツ
３１１  第二凹部
３２０  凸状部
２５０  第二の実施形態における組み合わせ用ピース
２６０  内孔
２７０  凹部
【図１】
0003138281.tif 000003
【図２】
0003138281.tif 000004
【図３】
0003138281.tif 000005
【図４】
0003138281.tif 000006
【図５】
0003138281.tif 000007